Podtech/llm-jp-corpus-v4-ja_patent huggingface dataset:
【手続補正書】
【提出日】平成24年2月2日(2012.2.2)
【手続補正１】
【補正対象書類名】特許請求の範囲
【補正対象項目名】全文
【補正方法】変更
【補正の内容】
【特許請求の範囲】
【請求項１】
式（２ａ）の化合物を用いるボセンタンの製造方法。
【化１】
2011511054.tif 000001
［式中、Ｒは水酸基の保護基である。］
【請求項２】
Ｒが
（ｉ）塩基性および弱酸性の条件で安定である；および／または
（ｉｉ）アルキル、アリール、アリールアルキル、アリル、シリル、ベンゾエートおよびピバレートを含む群から選択される；および／または
（ｉｉｉ）tert−ブチルである、
請求項１記載の方法。
【請求項３】
以下の工程を含むボセンタンの製造方法。
（ａ）式（１）のジクロロ化合物を、式：ＨＯＣＨ２ＣＨ２ＯＲ（式中、Ｒは水酸基の保護基である。）で表される１つ保護されたエチレングリコールと反応させて、式（２ａ）の化合物を得る工程：
【化２】
2011511054.tif 000002
（ｂ）化合物（２ａ）を４−tert−ブチルフェニルスルホンアミドと結合させる工程；
（ｃ）保護基Ｒを脱離させる工程；および
（ｄ）工程（ｃ）で得られる混合物からボセンタンを単離する工程。
【請求項４】
Ｒが
（ｉ）塩基性および弱酸性の条件で安定である；および／または
（ｉｉ）アルキル、アリール、アリールアルキル、アリル、シリル、ベンゾエートおよびピバレートを含む群から選択される；および／または
（ｉｉｉ）tert−ブチルである；および／または
（ｉｖ）tert−ブチルであり、tert−ブチルをギ酸で処理することで脱離させ、続いて水酸化ナトリウムで処理する、
請求項３記載の方法。
【請求項５】
工程（ａ）において、式（１）のジクロロ化合物および１つ保護されたエチレングリコールを
（ｉ）塩基；および／または
（ｉｉ）水酸化アルカリ金属、水酸化アルカリ土類金属、金属ナトリウム、ＤＢＵ、ＤＢＮ、ＤＭＡＰおよびピリジンを含む群から選択される塩基；および／または
（ｉｉｉ）水酸化アルカリ金属；および／または
（ｉｖ）水酸化リチウムまたは水酸化ナトリウム；および／または
（ｖ）水酸化ナトリウム
の存在下、反応させる、請求項３または４記載の方法。
【請求項６】
（ｉ）方法が有機溶媒中で実施される；および／または
（ｉｉ）工程（ａ）がトルエン、ＴＨＦ、キシレン、ＤＭＦ、ＤＭＳＯ、アセトニトリルおよびジメチルアセトアミドを含む群から選択される有機溶媒中で実施される；および／または
（ｉｉｉ）工程（ａ）がトルエン中で実施される；および／または
（ｉｖ）工程（ａ）における反応混合物を約３０〜９０℃の間で保温する；および／または
（ｖ）工程（ａ）における反応混合物を約５０〜６０℃の間で保温する；および／または
（ｖｉ）工程（ｄ）において、ボセンタンをろ過によって単離し、重量が一定になるまで減圧下で乾燥する、
請求項３〜５のいずれか記載の方法。
【請求項７】
式（２ａ）で示される構造を有する化合物、またはその塩もしくは結晶型。
【化３】
2011511054.tif 000003
［式中、Ｒは水酸基の保護基である。］
【請求項８】
Ｒが
（ｉ）塩基性および弱酸性の条件で安定である；および／または
（ｉｉ）アルキル、アリール、アリールアルキル、アリル、シリル、ベンゾエートおよびピバレートを含む群から選択される；および／または
（ｉｉｉ）tert−ブチルである、
請求項７記載の化合物。
【請求項９】
塩が、酒石酸塩、コハク酸塩、シュウ酸塩、ピメリン酸塩、アジピン酸塩、酢酸塩、スベリン酸塩、サリチル酸塩、メシル酸塩、リンゴ酸塩、マロン酸塩、マレイン酸塩、カンファースルホン酸塩、マンデル酸塩、塩化水素酸塩、硫酸水素塩、硫酸塩、臭化水素酸塩、ベシル酸塩、安息香酸塩、リン酸二水素塩、グルタル酸塩またはクエン酸塩を含む群から選択される、請求項７または８記載の化合物。
【請求項１０】
式（１）のジクロロ化合物を、式：ＨＯＣＨ２ＣＨ２ＯＲ（式中、Ｒは水酸基の保護基である。）で表される１つ保護されたエチレングリコールと結合させて、式（２ａ）の化合物を得る、式（２ａ）の化合物の製造方法。
【化４】
2011511054.tif 000004
【請求項１１】
Ｒが
（ｉ）塩基性および弱酸性の条件で安定である；および／または
（ｉｉ）アルキル、アリール、アリールアルキル、アリル、シリル、ベンゾエートおよびピバレートを含む群から選択される；および／または
（ｉｉｉ）tert−ブチルである、
、請求項１０記載の方法。
【請求項１２】
式（１）のジクロロ化合物を、
（ｉ）塩基；および／または
（ｉｉ）水酸化アルカリ金属、水酸化アルカリ土類金属、金属ナトリウム、ＤＢＵ、ＤＢＮ、ＤＭＡＰおよびピリジンを含む群から選択される塩基；および／または
（ｉｉｉ）水酸化アルカリ金属；および／または
（ｉｖ）水酸化リチウムまたは水酸化ナトリウム；および／または
（ｖ）水酸化ナトリウム；および／または
（ｖｉ）有機溶媒；および／または
（ｖｉｉ）トルエン、ＴＨＦ、キシレン、ＤＭＦ、ＤＭＳＯ、アセトニトリルおよびジメチルアセトアミドを含む群から選択される有機溶媒；および／または
（ｖｉｉｉ）トルエン
の存在下、１つ保護されたエチレングリコールと結合させる、請求項１０または１１記載の方法。
【請求項１３】
反応混合物を
（ｉ）約３０〜９０℃の間；および／または
（ｉｉ）約５０〜６０℃の間
で保温する、請求項１０〜１２のいずれか記載の方法。
【請求項１４】
請求項１〜６のいずれか記載の方法で製造されるボセンタン。
【請求項１５】
（ｉ）医薬として使用するための；および／または
（ｉｉ）エンドセリン受容体が介在する疾患の治療または予防のための；および／または
（ｉｉｉ）循環器系および心血管系の疾患の治療または予防のための；および／または
（ｉｖ）高血圧、虚血、肺高血圧、血管痙攣または狭心症の疾患の治療または予防のための、
請求項１４記載のボセンタンを含有する医薬。
【請求項１６】
請求項１〜６のいずれか記載の方法で製造されるボセンタンを含有する医薬組成物。
【請求項１７】
（ｉ）エンドセリン受容体が介在する疾患の治療または予防のための；および／または
（ｉｉ）循環器系および心血管系の疾患の治療または予防のための；および／または
（ｉｉｉ）高血圧、虚血、肺高血圧、血管痙攣または狭心症の疾患の治療または予防のための、
請求項１６記載の組成物。
【請求項１８】
エンドセリン受容体が介在する疾患の治療または予防のための医薬の製造における、請求項１〜６のいずれか記載の方法で製造されるボセンタンの使用。
【請求項１９】
疾患が、
（ｉ）循環器系および心血管系の疾患を含む群から選択される；および／または
（ｉｉ）高血圧、虚血、肺高血圧、血管痙攣および狭心症の１つまたはそれ以上である、請求項１８記載の使用。
【手続補正書】
【提出日】平成24年1月24日(2012.1.24)
【手続補正１】
【補正対象書類名】特許請求の範囲
【補正対象項目名】全文
【補正方法】変更
【補正の内容】
【特許請求の範囲】
【請求項１】
嚥下が困難な患者に経口投与するための食用ゲル組成物であって、該組成物は投与形態の受け入れのための形状と寸法を有し、ここに、
該ゲルは、液体とゲル化剤とから形成される水混和性の自立的で可塑性の物質であって、
該組成物は投与形態の挿入のための凹部を有する、
組成物。
【請求項２】
ゲル化剤、水、および潤滑剤を含んでなる、請求項１記載の組成物。
【請求項３】
ゲル化剤が親水コロイドゲル化剤を含んでなる、請求項１または２に記載の組成物。
【請求項４】
ゲル組成物が、ゼラチン、アルギン酸塩、キトサン、寒天、カラギーナン、ペクチン、ジェランガム、グルコマンナン、ローカストビーンガム、キサンタンガムから選択されるゲル化剤を含んでなる、請求項１〜３のいずれかに記載の組成物。
【請求項５】
ゲル組成物が、ヒドロキシプロピルメチルセルロース（ＨＰＭＣ）を含んでなる潤滑剤を含んでなる、請求項１〜４のいずれかに記載の組成物。
【請求項６】
ゲル組成物がゼラチンとヒドロキシプロピルメチルセルロース（ＨＰＭＣ）を含んでなる、請求項１〜５のいずれかに記載の組成物。
【請求項７】
ゲル組成物が、ゼラチンとヒドロキシプロピルメチルセルロース（ＨＰＭＣ）を６：１〜３：１のｗ／ｗ比で含んでなる、請求項１〜６のいずれかに記載の方法、物体、組成物または医薬。
【請求項８】
ゲル組成物が、ゼラチン、ヒドロキシプロピルメチルセルロース（ＨＰＭＣ）および水から本質的になる、請求項１〜７のいずれかに記載の組成物。
【請求項９】
ゲル組成物が、凹部を有し、該凹部がスリットまたは開口である、請求項１〜８のいずれかに記載の組成物。
【請求項１０】
ゲル組成物が、錠剤またはカプセルである投与形態の一部である、または該投与形態を伴っている、請求項１〜９のいずれかに記載の組成物。
【請求項１１】
嚥下が困難な患者に経口投与するための食用ゲル組成物の製造方法であって、
食用ゲルを形成するための液体のプレゲル組成物を提供すること；次いで
（ｉ）該プレゲル組成物を型で固化させ、固化した食用ゲル組成物に投与形態を受け入れるための凹部を形成するか、または
（ｉｉ）該プレゲル組成物を型で固化させ、固化したゲルに凹部を、例えばゲルをカットして、形成すること
を含んでなる、方法。
【請求項１２】
嚥下困難を有する患者に投与形態を投与することを含んでなる、嚥下困難および場合によりさらなる他の障害を有する患者を処置するための方法において用いるための投与形態であって、該方法が、
嚥下困難および／または該他の障害の処置のための投与形態を伴う請求項１〜１０のいずれかに記載の組成物を提供すること；および
該組成物を患者に経口投与すること
を含んでなる、投与形態。
【請求項１３】
前記他の障害が、鈍的な喉の傷害、手術による損傷、発作、多発性硬化症、アスペルガー症候群、食道癌、喉頭癌、シャーガス病、セリアック病、嚢胞性線維症、ハンチントン病、ニーマン・ピック病、筋萎縮性側索硬化症等の神経学的疾患、アルツハイマー病およびパーキンソン病、肥満症、ライリー・デイ症候群、高コレステロール、コーンアレルギーおよびコーン感受性、強皮症および糖尿病から選択される嚥下困難を伴う障害である、請求項１２記載の投与形態。
【請求項１４】
食用組成物の少なくとも一部が露出し、凹部が食用組成物の露出部分に存在する、請求項１〜１０のいずれかに記載の組成物を含むパッケージ。
【請求項１５】
（ｉ）投与形態の挿入のための凹部を有する、請求項１〜１０のいずれかに記載のゲル組成物を含む１またはそれ以上の凹みを有するベース；
（ｉｉ）取り外したときに凹部が露出して凹部への投与形態の挿入を可能する、取り外し可能なカバー
を含んでなる、請求項１４記載のパッケージ。
【手続補正書】
【提出日】平成24年2月1日(2012.2.1)
【手続補正１】
【補正対象書類名】特許請求の範囲
【補正対象項目名】全文
【補正方法】変更
【補正の内容】
【特許請求の範囲】
【請求項１】
後壁（２）と、前記後壁の上角部から前方に延在しておりトップカバーパネル（８）および２つの側壁（９、１０）のためのガイドトラック（５、６、７）を含むレール（３、４）とを備える、天秤用の風防（１）であって、前壁（１１）が、その底縁部がシート（１２）内に入るように挿入され、前記前壁（１１）が前記トップカバーパネル（８）および前記側壁（９、１０）と同一平面で位置合わせされるように枢動され得てさらに前記レール（３、４）の前側端部のところに配置された係止要素（１３）によってその位置に固定され得、前記係止要素が解放されているとき、前記側壁（９、１０）および／または前記トップカバーパネル（８）が前方に向かって引き抜かれて取り外され得る
ことを特徴とする風防（１）。
【請求項２】
前記前壁（１１）が閉位置にあるときに前記壁パネル（８、９、１０）の縁部にぴったり合うように位置されることを特徴とする、請求項１に記載の風防。
【請求項３】
前記側壁（９、１０）ならびに前記トップカバーパネル（８）が閉位置にあるとき前記前壁（１１）の縁部にぴったり合うように位置されることを特徴とする、請求項１に記載の風防。
【請求項４】
前記風防（１）の少なくとも１つの側面が少なくとも１つの側壁（９、１０）を後方に摺動させることによって開けられ得、前記風防が前記トップカバーパネル（８）を後方に摺動させることによってその頂部のところで開けられ得ることを特徴とする、請求項１から３までのいずれか一項に記載の風防。
【請求項５】
前記少なくとも１つの摺動可能な壁パネル（８、９、１０）がエンドストップ（２６）を備えており、最大限に開かれた位置においても前記ガイドトラック（５、６、７）内に維持される、ことを特徴とする、請求項４に記載の風防。
【請求項６】
前記係止要素（１３）が、前記閉じられる過程において前記前壁（１１）の角部上を摺動して前記前壁（１１）を定位置に維持するホルダ要素（１４）を有することを特徴とする、請求項１から５までのいずれか一項に記載の風防。
【請求項７】
前記ホルダ要素（１４）が、前記前壁（１１）に対する解放位置（１５）と係止位置（１６）との間で旋回され得ることを特徴とする、請求項６に記載の風防。
【請求項８】
前記ホルダ要素（１４）が保持方向にばね付勢されていること、および係止動作の際、傾斜したグライドランプによりばね張力が生じてそれにより保持力が形成されることを特徴とする、請求項６または７に記載の風防。
【請求項９】
前記係止要素（１３）が回転戻り止め要素として構成されることを特徴とする、請求項１から８までのいずれか一項に記載の風防。
【請求項１０】
前記回転戻り止め要素が、突出部（１７）と、前記係止装置が閉じられた状態にあるときに前記突出部（１７）に係合される凹部（１８）とを有し、前記前壁（１１）が、上側角部のところに、前記レール（３、４）の端部のところにある前記突出部（１７）が戻り止め係合のために前記ホルダ要素（１４）の前記凹部（１８）の中に入ることができるようになる前に通過する必要がある開口部（１９）を有することを特徴とする、請求項９に記載の風防。
【請求項１１】
前記係止要素（１３）の枢動軸（２０）が、前記レール（３、４）の孔（２１）内に挿入されるように構成されており、少なくとも１つの段差カラー（２２）が保持要素（２３）に係合されることによって定位置に維持される、ことを特徴とする、請求項９から１０までのいずれか一項に記載の風防。
【請求項１２】
前記後壁（２）が前記天秤に固定され得、前記シート（１２）が前記天秤の上面に配置される、ことを特徴とする、請求項１から１１までのいずれか一項に記載の風防。
【請求項１３】
前記後壁（２）がフレーム（２４）によって囲まれ、かつ保持装置によって前記フレーム（２４）内に固定され得ることを特徴とする、請求項１から１２までのいずれか一項に記載の風防。
【請求項１４】
前記後壁（２）が床プレート（２５）によって支持されることおよび前記床プレート（２５）が前記天秤の頂部上に設置され得ることを特徴とする、請求項１から１３までのいずれか一項に記載の風防。
【請求項１５】
前記床プレート（２５）が前記側壁（９、１０）の底縁部のためのガイドトラック（６’、７’）を有し、さらに前記シート（１２）を有する、ことを特徴とする、請求項１４に記載の風防。
【手続補正書】
【提出日】平成22年10月29日(2010.10.29)
【手続補正１】
【補正対象書類名】明細書
【補正対象項目名】０００２
【補正方法】変更
【補正の内容】
【０００２】
位置決定装置は、利用者からの発話（音声）入力に対応するよう構成することもできる。音声入力を位置決定装置に提供する方法の一例には、自動音声認識（ａｕｔｏｍａｔｉｃ  ｓｐｅｅｃｈ  ｒｅｃｏｇｎｉｔｉｏｎ：ＡＳＲ）を利用するものがある。ＡＳＲは、通常、音声をテキストや数値表現などに変換するため使用され、変換後の値は、位置決定装置で望ましい機能を実行する上で使用できる。ＡＳＲは、利用者が自動車を運転中であるなど、利用者が前記装置と物理的にインタラクトすることが安全でなく、または不可能な場合、特に有用である。
ＡＳＲは、位置決定装置とインタラクトする際に簡単で便利な方法を提供する一方、そのような装置に使用されている従来のグラフィカルユーザーインターフェース（ｇｒａｐｈｉｃａｌ  ｕｓｅｒ  ｉｎｔｅｒｆａｃｅ：ＧＵＩ）は、利用者の当該装置とのインタラクションによる入力に対応するよう構成されており、ＡＳＲを使って選択を行うことが困難または不可能な、コマンド、選択可能なアイコン、および／または入力可能なフィールドを表示する。またＡＳＲ固有の特徴により、位置決定装置の機能には、ＡＳＲで実施するには望ましくないものもある。例えば、ドイツにおいて、発話により道を名称で検索しようとすると、過度に多くの検索結果が提供され、かえって利用者には利用しづらい。
この出願の発明に関連する先行技術文献情報としては、以下のものがある（国際出願日以降国際段階で引用された文献及び他国に国内移行した際に引用された文献を含む）。
【先行技術文献】  
【特許文献】
【手続補正２】
【補正対象書類名】明細書
【補正対象項目名】０００３
【補正方法】変更
【補正の内容】
【０００３】
【特許文献１】国際公開第ＷＯ２００３／０７８９３０号
【特許文献２】特開２００３−２２７７２９号公報
【特許文献３】特開平０８−０５０６９８号公報
【特許文献４】特開平０２−２２４１００号公報
【手続補正書】
【提出日】平成24年1月9日(2012.1.9)
【手続補正１】
【補正対象書類名】特許請求の範囲
【補正対象項目名】全文
【補正方法】変更
【補正の内容】
【特許請求の範囲】
【請求項１】
溶解すべき物質の流通式溶解を行う物品であって、
第１開口及び前記第１開口から離間した少なくとも第２開口を有する少なくとも１つのチャンバーであって、前記第１及び前記第２開口が外部からの前記チャンバーとの流体伝達を提供する、前記チャンバーと、
前記チャンバーに受容され、前記溶解すべき物質を溶解するためのサイズの複数の粒子を含む溶解用粒子物質と、
前記チャンバー内で前記第１開口と前記粒子物質の間に受容され、実質的に前記溶解すべき物質を通過させ、前記粒子物質を保持するサイズの複数の孔を有する第１フィルターと、
前記チャンバー内で前記第２開口と前記粒子物質の間に受容され、前記溶解すべき物質を通過させ、前記粒子物質を保持するサイズの複数の孔を有する第２フィルターとを有し、
前記第１及び前記第２フィルターが、その間に、粒子保持領域を形成する物品。
【請求項２】
前記第１開口に第１チューブを取り付けるための第１取付構造と、前記第２開口の近くの第２取付構造とを更に有する請求項１に記載の物品。
【請求項３】
前記粒子物質が複数のビーズである、請求項１に記載の物品。
【請求項４】
前記複数のビーズが、セラミックスビーズ、ガラスビーズ、ジルコニウムビーズ、金属ビーズ、プラスチックビーズ及び砂の少なくとも１つを含む、請求項３に記載の物品。
【請求項５】
使用時に、前記粒子物質の体積が前記チャンバーの体積よりも大きい、請求項１の物品。
【請求項６】
少なくとも一時的に前記容器を取り付けるための取付位置を有するアームと、
駆動力を提供するように動作可能なモーターと、
前記モーターの前記駆動力を前記アームの前記取付位置のアーチ状の経路に沿った振動に変換するように結合した駆動機構とを有する振動システムを更に有する、請求項１に記載の物品
【請求項７】
前記チャンバーの第３開口に配置されてこれを封止するマイクロモーターと、前記チャンバーに受容される少なくとも２つの羽根を有する羽根車を更に有し、前記マイクロモーターが、前記羽根車を回転させるように前記羽根車に結合している、請求項１に記載の物品。
【請求項８】
溶解を行うためのシステムであって、
少なくとも溶解すべき物質及び溶解用粒子物質を保持する少なくとも１つのチャンバーであって、外部からの前記チャンバーとの流体伝達を提供するための第１開口を有する前記チャンバーを有する容器と、
前記容器の前記チャンバーに受容される少なくとも２つの羽根を有する羽根車と、
前記羽根車を回転させるように結合したマイクロモータを有するシステム。
【請求項９】
前記チャンバーが第２開口を有する、請求項８に記載のシステム
【請求項１０】
前記第１開口が溶解された物質の出口を提供し、前記第２開口が溶解すべき物質の入口を提供する、請求項８に記載のシステム。
【請求項１１】
前記チャンバーが第３開口を有し、前記マイクロモータの少なくとも１部が前記第３開口により受容されて前記第３開口を封止する、請求項１０に記載のシステム。
【請求項１２】
前記マイクロモータが、前記第３開口に取り外し可能に受容される請求項１１に記載のシステム。
【請求項１３】
前記マイクロモータが使い捨て可能である、請求項１２に記載のシステム。
【請求項１４】
前記容器が、前記チャンバーからの流路に位置する少なくとも第１フィルターを更に含み、前記第１フィルターが、溶解された前記溶解すべき物質を実質的に通過させ、前記溶解用粒子物質を実質的に遮るサイズの複数の孔を有する、請求項８に記載のシステム。
【請求項１５】
前記容器が、前記チャンバーへの流路に位置する少なくとも第２フィルターを更に含み、前記第２フィルターが、溶解すべき物質を実質的に通過させ、前記溶解用粒子物質を実質的に遮るサイズの複数の孔を有する、請求項１４に記載のシステム。
【請求項１６】
前記マイクロモータが、液体及び複数のビーズを含む前記溶解用粒子物質の存在下で、１０，０００ＲＰＭよりも大きい速度で前記羽根車を駆動するように選択的に動作可能である、請求項８に記載のシステム。
【請求項１７】
前記マイクロモータが、液体及び複数のビーズを含む前記溶解用粒子物質の不存在下で、約５０，０００ＲＰＭの速度で前記羽根車を駆動するように選択的に動作可能である、請求項８に記載のシステム。
【請求項１８】
溶解を行う方法であって、
溶解用粒子物質を保持する容器の少なくとも１つのチャンバーの少なくとも１つの開口を介して溶解すべき物質を受容するステップと、
マイクロモータによって、前記容器の前記チャンバーに受容された少なくとも２つの羽根を有する羽根車を駆動するステップと、
前記容器の前記チャンバーから少なくとも１つの開口を介して溶解された物質を取り出すステップとを有する方法。
【請求項１９】
少なくとも１つの開口を介して溶解された物質を取り出す前記ステップが、第１フィルターを介して前記溶解された物質を取り出すステップを含み、
前記第１フィルターが、前記溶解された物質を実質的に通過させ、前記溶解用粒子物質を実質的に遮るサイズの複数の孔を有する、請求項１８に記載の方法。
【請求項２０】
少なくとも１つの開口を介して溶解すべき物質を受容する前記ステップが、第２フィルターを介して前記溶解すべき物質を受容するステップを含み、
前記第２フィルターが、前記溶解すべき物質を実質的に通過させ、前記溶解用粒子物質を実質的に遮るサイズの複数の孔を有する、請求項１９に記載の方法。
【請求項２１】
少なくとも１つの開口を介して前記少なくとも１のチャンバーに前記溶解すべき物質を連続的に又は断続的に汲み入れるステップを更に有する請求１９の方法。
【請求項２２】
羽根車を駆動する前記ステップが、複数のビーズ及び液体を含む前記溶解用粒子物質の存在下で、１０，０００ＲＰＭよりも大きい速度で前記羽根車を駆動するステップを含む、請求１８の方法。
【手続補正書】
【提出日】平成24年2月10日(2012.2.10)
【手続補正１】
【補正対象書類名】特許請求の範囲
【補正対象項目名】全文
【補正方法】変更
【補正の内容】
【特許請求の範囲】
【請求項１】
流体試料を受容するための開口部を有する試料受容部材と、
前記流体試料の一部を保有するための、前記試料受容部材と流体連通する試料保有部材と、
前記流体試料中の少なくとも１つの被分析物の存在または不在を示すための、前記試料受容部材と流体連通する少なくとも１つの膜試験ストリップと
を備える装置。
【請求項２】
前記流体試料を回収し、前記流体試料を前記試料受容部材に搬送するための流体コレクタをさらに備える請求項１に記載の装置。
【請求項３】
前記流体コレクタが、
前記流体試料を吸収するための吸収材料と、
前記吸収材料と動作可能に関連する圧縮部材と、
前記流体コレクタが前記試料受容部材に挿入される際に、前記試料受容部材の開放端部を封止可能な閉鎖部材と
を備える請求項２に記載の装置。
【請求項４】
前記閉鎖部材が、前記試料受容部材の前記開放端部に気密封止を作り出すことができる、請求項３に記載の装置。
【請求項５】
前記流体コレクタが前記試料受容部材に挿入された後、前記流体コレクタを前記試料受容部材内に固定するための手段をさらに備える請求項３に記載の装置。
【請求項６】
前記流体コレクタを前記試料受容部材内に固定するための前記手段が、前記試料受容部材内に少なくとも１つの環状突出を備える、請求項５に記載の装置。
【請求項７】
前記流体コレクタが、第１のディスクの上面に取り外し可能に取り付けられるハンドルをさらに備える、請求項３に記載の装置。
【請求項８】
唾液分泌物質をさらに備える請求項３に記載の装置。
【請求項９】
前記唾液分泌物質が、糖、塩、酸、またはこれらの任意の組み合わせを含む、請求項８に記載の装置。
【請求項１０】
前記唾液分泌物質が、塩化ナトリウム、クエン酸、またはこれらの任意の組み合わせを含む、請求項９に記載の装置。
【請求項１１】
指紋取得パッドをさらに備える請求項１に記載の装置。
【請求項１２】
前記指紋取得パッドが、筐体に取り付けられたカバーによって包まれる、請求項１１に記載の装置。
【請求項１３】
前記指紋取得パッドが、インクベースの指紋取得パッドである、請求項１１に記載の装置。
【請求項１４】
前記インクベースの指紋取得パッド内にシグナルを生じさせることができるインクを分注可能なディスペンサをさらに備える請求項１３に記載の装置。
【請求項１５】
前記指紋取得パッドが、インク不使用指紋取得パッドである、請求項１１に記載の装置。
【請求項１６】
前記インク不使用指紋取得パッド内にシグナルを生じさせることができる活性剤を分注可能なディスペンサをさらに備える請求項１５に記載の装置。
【請求項１７】
前記インク不使用指紋取得パッドが、イムノアッセイベースの指紋取得パッドである、請求項１５に記載の装置。
【請求項１８】
前記イムノアッセイベースの指紋取得パッドが、前記試料受容部材と流体連通している、請求項１７に記載の装置。
【手続補正書】
【提出日】平成24年1月12日(2012.1.12)
【手続補正１】
【補正対象書類名】特許請求の範囲
【補正対象項目名】全文
【補正方法】変更
【補正の内容】
【特許請求の範囲】
【請求項１】
表示装置、特にスクリーン（４）用スクリーンユニット（６）であって、
スクリーン（４）の背面照光のためのバックライトユニット（８）と、
偏光フィルタ（１０）と、
液晶層（１４）と、
フィルタ装置（１６）とを有し、
前記偏光フィルタ（１０）は、バックライトユニット（８）の照射方向に配設され、当該バックライトユニット（８）を少なくとも部分的に覆っており、
前記液晶層（１４）は、偏光フィルタ（１０）の、バックライトユニット（８）とは反対側に配設されており、
前記フィルタ装置（１６）は、少なくとも１つのカラーフィルタを含み、前記液晶層（１４）の、バックライトユニット（８）とは反対側に配設されている形式の表示装置において、
前記バックライトユニット（８）が青色発光ダイオード（２２）を含み、前記青色発光ダイオード（２２）はその放射方向に少なくとも２つの異なる蛍光体を配置し、
前記少なくとも２つの蛍光体は、前記発光ダイオード（２２）の青色光を吸収し、相互に異なる色の光を再発光し、この光が前記発光ダイオード（２２）の青色光と混合されて白色光（３６）が生成され、さらに、
前記青色発光ダイオード（２２）は、蛍光体を含んだ注入材（２４）の中に埋込まれるように構成されていることを特徴とする表示装置。
【請求項２】
前記青色光を発光する発光ダイオード（２２）に続いて、緑色及び赤色を再発光する蛍光体が配置されている、請求項１記載の表示装置。
【請求項３】
前記青色光を発光する発光ダイオード（２２）に続いて、緑色及び黄色を再発光する蛍光体が配置されている、請求項１記載の表示装置。
【請求項４】
前記青色光を発光する発光ダイオード（２２）に続いて、緑色及び赤色及び黄色を再発光する蛍光体が配置されている、請求項１記載の表示装置。
【請求項５】
前記バックライトユニット（８）の蛍光体は、蛍光体のスペクトル特性曲線とカラーフィルタの透過特性曲線の重畳領域ができるだけ大きくなるように構成されている、請求項１から４いずれか１項記載の表示装置。
【請求項６】
複数の画素が含まれており、
スクリーンユニット（６）の各画素は、それぞれ３つの異なるカラーフィルタと唯一のバックライトユニット（８）を有している、請求項１から５いずれか１項記載の表示装置。
【請求項７】
複数の画素が含まれており、
前記各画素には青色光を発する発光ダイオード（２２）が一義的に対応付けられている、請求項１から６いずれか１項記載の表示装置。
【手続補正書】
【提出日】平成23年12月7日(2011.12.7)
【手続補正１】
【補正対象書類名】特許請求の範囲
【補正対象項目名】全文
【補正方法】変更
【補正の内容】
【特許請求の範囲】
【請求項１】
電子デバイスの製造方法であって、
第１電極を準備すること、
前記第１電極の表面上に第１導電性ナノ構造グリッドを堆積させることであって、
（ａ）クロモニック層を形成するために前記第１電極の前記表面にコーティング方向で、コーティング組成物を適用することであって、前記コーティング組成物が、クロモニック材料と表面改質された無機ナノ粒子と水とを含む、コーティング組成物を適用することと、
（ｂ）乾燥クロモニック層を形成するために、前記クロモニック層から前記水の少なくとも一部分を除去することと、
（ｃ）前記乾燥クロモニック層内にチャネルパターンを形成する親水性有機溶媒に前記乾燥クロモニック層を曝露することであって、前記チャネルパターンが（ｉ）前記コーティング方向に第１のセットのチャネルと、（ｉｉ）前記第１のセットのチャネルに実質的に垂直である第２のセットのチャネルとを含む、前記乾燥クロモニック層を曝露することと、
（ｄ）前記第１電極の反対側の前記乾燥クロモニック層の表面上に、及び前記第１のセットのチャネルと前記第２のセットのチャネルの両方の内部に、金属含有材料を配置することであって、前記第１のセットのチャネルと前記第２のセットのチャネルの内部の前記金属含有材料が前記第１電極に接触する、金属含有材料を配置することと、
（ｅ）前記乾燥クロモニック層及び前記乾燥クロモニック層上に配置された前記金属含有材料の両方を除去することであって、前記第１のセットのチャネルと前記第２のセットのチャネルの内部に配置された前記金属含有材料が前記第１電極に付着する、前記乾燥クロモニック層及び前記乾燥クロモニック層上に配置された前記金属含有材料の両方を除去することと、を含む第１導電性ナノ構造グリッドを堆積させること、
前記第１導電性ナノ構造グリッドに面する電子応答性層を準備すること、
第２電極を準備すること、並びに
前記第１電極と前記第２電極との間に前記電子応答性層を配置すること、を含む、方法。
【請求項２】
第１電極と、
前記第１電極の表面上に堆積させた第１導電性ナノ構造グリッドであって、前記第１導電性ナノ構造グリッドが第１のセットの導電性ナノ構造と第２のセットの導電性ナノ構造とを含み、前記第２のセットの導電性ナノ構造が、前記第１のセットの導電性ナノ構造に実質的に垂直である、第１導電性ナノ構造グリッドと、
前記第１導電性ナノ構造グリッドに面する電子応答性層と、
第２電極と、を含み、
前記電子応答性層が、前記第１電極と前記第２電極との間に配置される電子デバイス。
【請求項３】
電子デバイスの製造方法であって、
基材を準備すること、
前記基材の表面上に第１導電性ナノ構造グリッドを堆積させることであって、
（ａ）クロモニック層を形成するために、前記基材の前記表面にコーティング方向でコーティング組成物を適用することであって、前記コーティング組成物が、クロモニック材料と表面改質された無機ナノ粒子と水とを含む、コーティング組成物を適用することと、
（ｂ）乾燥クロモニック層を形成するために、前記クロモニック層から前記水の少なくとも一部分を除去すること、
（ｃ）前記乾燥クロモニック層内にチャネルパターンを形成する親水性有機溶媒に、前記乾燥クロモニック層を曝露することであって、前記チャネルパターンが（ｉ）前記コーティング方向に第１のセットのチャネルと、（ｉｉ）前記第１のセットのチャネルに実質的に垂直である、第２のセットのチャネルとを含む、前記乾燥クロモニック層を曝露すること、
（ｄ）前記基材の反対側の前記乾燥クロモニック層の表面上に、及び前記第１のセットのチャネルと前記第２のセットのチャネルの両方の内部に、金属含有材料を配置することであって、前記第１のセットのチャネルと前記第２のセットのチャネルの内部の前記金属含有材料が、前記基材に接触する、金属含有材料を配置すること、
（ｅ）前記乾燥クロモニック層、及び前記乾燥クロモニック層上に配置された前記金属含有材料の両方を除去することであって、前記第１のセットのチャネルと前記第２のセットのチャネルの内部に配置された前記金属含有材料が、前記基材に付着する、前記乾燥クロモニック層、及び前記乾燥クロモニック層上に配置された前記金属含有材料の両方を除去することと、を含む第１導電性ナノ構造グリッドを堆積させること、
前記第１導電性ナノ構造グリッド上、及び前記基材の前記表面上に導電性層を堆積させて、第１電極構造を形成すること、
前記第１電極構造の前記導電性層に面する電子応答性層を準備すること、
第２電極を準備すること、並びに
前記第１電極構造と前記第２電極との間に、前記電子応答性層を配置することを含む方法。
【請求項４】
基材と、
前記基材の表面上に堆積させた第１導電性ナノ構造グリッドであって、前記第１導電性ナノ構造グリッドが、第１のセットの導電性ナノ構造と第２のセットの導電性ナノ構造とを含み、前記第２のセットの導電性ナノ構造が前記第１のセットの導電性ナノ構造に実質的に垂直である、第１導電性ナノ構造グリッドと、
第１電極構造の、前記第１導電性ナノ構造グリッド上、及び前記基材の前記表面上に堆積させた導電性層と、
前記第１電極構造の前記導電性層に面する電子応答性層と、
第２電極とを含み、
前記電子応答性層が、前記第１電極構造と前記第２電極との間に配置される電子デバイス。
【手続補正書】
【提出日】平成23年12月20日(2011.12.20)
【手続補正１】
【補正対象書類名】特許請求の範囲
【補正対象項目名】全文
【補正方法】変更
【補正の内容】
【特許請求の範囲】
【請求項１】
オンライン・マルチプレーヤー・ゲーミング環境の第１ユーザーに対して推奨を標的設定する方法であって、
前記オンライン・マルチプレーヤー・ゲーミング環境が、前記オンライン・マルチプレーヤー・ゲーミング環境における前記第１ユーザーと第２ユーザーとの関係活動を追跡するステップであって、前記関係活動が、前記オンライン・マルチプレーヤー・ゲーミング環境内おいて生じた前記第１ユーザーと前記第２ユーザーとの間の関係を示す、ステップと、
前記ゲーミング環境が、前記第２ユーザーの好みの指示を受信するステップと、
前記ゲーミング環境が、前記第２ユーザーの好みの指示および前記第１ユーザーと前記第２ユーザーとの前記関係活動に基づいて推奨を決定するステップと、
前記ゲーミング環境が、前記第１ユーザーに前記推奨を送るステップと、
を含む方法。
【請求項２】
請求項１記載の方法において、前記ゲーミング環境が、前記第２ユーザーの好みの前記指示および前記第１ユーザーと第２のユーザーとの前記関係活動に基づいて推奨を決定するステップは、
前記推奨を、複数の推奨のうち最も関連が深いものとして判定すること、
を含む、方法。
【請求項３】
請求項１または２に記載の方法において、前記関係活動を追跡するステップは、
前記関係活動についてのデーターをデーターベースに格納すること、
を含む、方法。
【請求項４】
請求項３記載の方法であって、更に、
前記データーが前記第１ユーザーと前記第２ユーザーとの間における相互作用を示すように、前記関係活動についてのデーターをフィルタリングするステップ、
を含む、方法。
【請求項５】
請求項１から４のいずれかに記載の方法において、前記第２ユーザーの好みの前記指示は、
前記第２ユーザーが見るビデオ、前記第２ユーザーが購入するコンテンツ、または前記第２ユーザーの好ましい言語、
を含む、方法。
【請求項６】
請求項１から５のいずれかに記載の方法において、前記推奨は、
前記第１ユーザーの前記オンライン・マルチプレーヤー・ゲーミング環境に対するアクセス・デバイスの通信能力と互換性があるように選択された記述型オブジェクト、
を含む、方法。
【請求項７】
請求項６記載の方法において、前記アクセス・デバイスは、
ゲーミング・コンソール、セルラ電話機、パーソナル・データー・アシスタント、汎用コンピューター、または携帯用ディジタル音楽プレーヤー、
を含む、方法。
【請求項８】
請求項１から７のいずれかに記載の方法において、前記推奨は、
前記第１ユーザーに対して行動を示唆すること、
を含む、方法。
【請求項９】
請求項１から８のいずれかに記載の方法において、前記推奨は、
友人リストに追加する友人、プレーするゲーム、参加する試合、加入するグループ、またはゲームで対戦する敵方、
を含む、方法。
【請求項１０】
請求項１から９のいずれかに記載の方法であって、更に、
前記推奨の要求を受けるステップ、
を含む、方法。
【請求項１１】
請求項１から１０のいずれかに記載の方法であって、更に、
前記第１ユーザーの好みの指示を受信するステップと、
前記第１ユーザーの好みの前記指示に基づいて前記推奨を決定するステップと、
を含む、方法。
【請求項１２】
請求項１から１１のいずれかに記載の方法において、前記第２ユーザーの好みの前記指示は、
前記ゲーム環境内における前記第２ユーザーのゲーミング活動、前記ゲーミング環境内における前記第２ユーザーのｅ−コマース活動、前記ゲーミング環境外における前記第２ユーザーのｅ−コマース活動、または前記環境内における前記第２ユーザーの社会的活動、
を含む、方法。
【請求項１３】
請求項１から１２のいずれかに記載の方法において、前記推奨を決定するステップは、
前記第１ユーザーに前記第２ユーザーを通じて接続される第３ユーザーの行動に基づいて前記推奨を決定すること、
を含む、方法。
【請求項１４】
請求項１から１３のいずれかに記載の方法において、前記推奨を決定するステップは、
前記第２ユーザーのソーシャル・ネットワークの特性に基づいて前記推奨を決定すること、
を含む、方法。
【請求項１５】
請求項１４記載の方法において、前記第２ユーザーのソーシャル・ネットワークの前記特性は、
前記第２ユーザーの友人のその友人の行動、
を含む、方法。
【請求項１６】
請求項１から１５のいずれかに記載の方法において、前記推奨を決定するステップは、
前記第１ユーザーに関連したアクセス・デバイスの通信能力に基づいて前記推奨を決定すること、
を含む、方法。
【請求項１７】
請求項１から１６のいずれかに記載の方法において、前記推奨は、
製品を購入するリンク、
を含む、方法。
【請求項１８】
請求項１から１７のいずれかに記載の方法において、前記第１ユーザーと前記第２ユーザーとの間の関係は、
前記第１ユーザーと前記第２ユーザーとの間の非同期の相互作用、
を含む、方法。
【請求項１９】
オンライン・マルチプレーヤー・ゲーミング環境の第１ユーザーに対して推奨を標的設定するためのコンピュータ読み取り可能記憶媒体であって、該コンピュータ読み取り可能記憶媒体はコンピュータ実行可能命令を含み、該コンピュータ実行可能命令は、実行されると方法を実行し、該方法が、
前記オンライン・マルチプレーヤー・ゲーミング環境との接続を確立するステップと、
前記オンライン・マルチプレーヤー・ゲーミング環境における前記第１ユーザーの第２のユーザーとの関係活動を追跡するステップであって、前記関係活動が、前記オンライン・マルチプレーヤー・ゲーミング環境内おいて生じた前記第１ユーザーと前記第２ユーザーとの間の関係を示す、ステップと、
前記第１ユーザーと前記第２ユーザーとの間の関係活動の指示を送るステップと、
前記第１ユーザーと第２のユーザーとの前記関係活動および前記第２ユーザーの好みとに基づいた推奨を受けるステップと、
前記第１ユーザーに前記推奨を提示するステップと、
を含む、コンピュータ読み取り可能記憶媒体。
【請求項２０】
オンライン・マルチプレーヤー・ゲーミング環境の第１ユーザーに対する推奨を標的設定するシステムであって、
プロセッサーと、
前記システムが稼働しているとき、前記プロセッサーに通信可能に結合されるメモリであって、該メモリは、プロセッサー実行可能命令を格納し、該プロセッサー実行可能命令は、前記プロセッサーにより実行されると、前記システムに少なくとも、
前記オンライン・マルチプレーヤー・ゲーミング環境における前記第１ユーザーと第２ユーザーとの関係活動を追跡することであって、前記関係活動が、前記オンライン・マルチプレーヤー・ゲーミング環境内おいて生じた前記第１ユーザーと前記第２ユーザーとの間の関係を示す、追跡すること、
前記第２ユーザーの好みの指示を受けること、
前記第２ユーザーの好みの前記指示および前記第１ユーザーと前記第２ユーザーとの前記関係活動に基づいた推奨を決定すること、
前記第１ユーザーに前記推奨を送ること、
を実行させる、メモリと、
を含むシステム。
【手続補正書】
【提出日】平成23年11月10日(2011.11.10)
【手続補正１】
【補正対象書類名】特許請求の範囲
【補正対象項目名】全文
【補正方法】変更
【補正の内容】
【特許請求の範囲】
【請求項１】
誘電材料上の電荷を変更するための電荷変更システムであって、前記システムが、
前記誘電材料に隣接する場所にガスを導入して、前記ガスが前記場所で、大気中におけるよりも高い濃度を有するようにするためのガス源と、
紫外線を発生させると共に、前記紫外線を前記場所に方向付けるための紫外線源であって、前記紫外線は前記ガスと前記誘電材料との境界面に供給され、前記紫外線が前記ガス及び前記誘電材料と相互作用して、前記誘電材料上の電荷を変更する、紫外線源と、を備える電荷変更システム。
【請求項２】
誘電材料上の電荷を変更する方法であって、前記方法が、
前記誘電材料を得る工程と、
前記誘電材料に隣接する領域にガスを導入して、前記ガスが前記領域で、大気中におけるよりも高い濃度を有するようにする工程と、
前記領域及び前記誘電材料に紫外線を照射する工程であって、該紫外線は前記ガスと前記誘電材料との境界面に供給される工程と、
前記誘電材料に照射を行いながら、前記誘電材料上の電荷を変更する工程と、を含む方法。
【請求項３】
誘電材料を受け入れるための誘電材料経路と、
ガスを含むガス源であって、前記ガス源が、前記誘電材料経路に隣接する場所に前記ガスを供給して、前記場所における前記ガスの濃度を上昇させるように配置された、ガス源と、
前記場所に紫外線を照射して、前記ガスを励起させると共に、前記誘電材料上の電荷を変更するための紫外線源であって、前記紫外線は前記ガスと前記誘電材料との境界面に供給される、紫外線源と、を備える電荷変更システム。
【手続補正書】
【提出日】平成23年11月1日(2011.11.1)
【手続補正１】
【補正対象書類名】特許請求の範囲
【補正対象項目名】全文
【補正方法】変更
【補正の内容】
【特許請求の範囲】
【請求項１】
エラストマー材料及び織物補強材を包含し、その際、該織物補強材が、本質的に、脂肪族ポリアミドの群から選択された繊維から成るホースにおいて、使用される該繊維の熱風収縮率が、ＤＩＮ５３８６６に従って１８０℃、２分間及び５ｍＮ／ｔｅｘの予張力にて測定して、２．５％より小さいことを特徴とする、エラストマー材料及び織物補強材を包含するホース。
【請求項２】
前記繊維の熱風収縮率が２．３％より小さいことを特徴とする、請求項１記載のホース。
【請求項３】
前記繊維の熱風収縮率が２．１％より小さいことを特徴とする、請求項１又は２記載のホース。
【請求項４】
前記織物補強材の繊維が接着向上剤で処理されており、且つ前記繊維が接着向上剤による処理前に請求項１から３までのいずれか１項記載のものに相当する熱風収縮率を有することを特徴とする、請求項１から３までのいずれか１項記載のホース。
【請求項５】
前記織物補強材の繊維が接着向上剤を含んでいないことを特徴とする、請求項１から３までのいずれか１項記載のホース。
【請求項６】
クーラントホースとしての請求項１から５までのいずれか１項記載のホースの使用。
【請求項７】
エラストマー材料からのホースの押出工程、押出されたホースの外側の周囲領域への織物補強材の施与工程、その際、該織物補強材が、本質的に、脂肪族ポリアミドの群から選択されている繊維から成り、エラストマー材料からの被覆の押出工程及び得られたホースの引き続く加硫工程を包含する、織物補強材を有するホースの製造方法において、織物補強材として２．５％より小さい熱風収縮率を有する繊維を選択し、その際、熱風収縮率が、ＤＩＮ５３８６６に従って１８０℃、２分間及び５ｍＮ／ｔｅｘの予張力にて測定されていることを特徴とする、織物補強材を有するホースの製造方法。
【請求項８】
織物補強材として２．３％より小さい熱風収縮率を有する繊維を選択し、その際、該熱風収縮率が、ＤＩＮ５３８６６に従って１８０℃、２分間及び５ｍＮ／ｔｅｘの予張力にて測定されていることを特徴とする請求項７記載の方法。
【請求項９】
織物補強材として２．１％より小さい熱風収縮率を有する繊維を選択し、その際、該熱風収縮率が、ＤＩＮ５３８６６に従って１８０℃、２分間及び５ｍＮ／ｔｅｘの予張力にて測定されていることを特徴とする請求項７又は８記載の方法。
【手続補正２】
【補正対象書類名】明細書
【補正対象項目名】００３０
【補正方法】変更
【補正の内容】
【００３０】
本発明は、同様に、織物補強材を有するホースの製造方法を包含する。この方法は、次の工程、エラストマー材料からのホースの押出、押出されたホースの外側の周囲領域への織物補強材の施与、その際、該織物補強材は、本質的に、脂肪族ポリアミドの群から選択されている繊維から成り、エラストマー材料からの被覆の押出及び得られたホースの引き続く加硫を包含し、該工程は、織物補強材として、２．５％より小さい、有利には２．３％より小さい、特に有利には２．１％より小さい熱風収縮率を有する繊維が選択され、その際、該熱風収縮率は、ＤＩＮ５３８６６に従って１８０℃、２分間及び５ｍＮ／ｔｅｘの予張力にて測定されることを特徴とする。
【手続補正書】
【提出日】平成24年1月18日(2012.1.18)
【手続補正１】
【補正対象書類名】特許請求の範囲
【補正対象項目名】全文
【補正方法】変更
【補正の内容】
【特許請求の範囲】
【請求項１】
流体を加熱する方法であって、本方法は、
入口から出口までの流路に沿って前記流体を通過させるステップであって、
前記流路は、第１の加熱セクションを通過する流体が続いて第２の加熱セクションを通過するように前記流路に沿って配置された、少なくとも前記第１および第２の加熱セクションを含み、
各加熱セクションは、少なくとも１対の電極を含み、前記１対の電極間では、電流が前記流体を介して流され、前記流体が前記流路に沿って通過している間に前記流体を抵抗加熱し、そして、        
前記加熱セクションのうちの少なくとも１つは、少なくとも１つの分割型電極を含み、前記分割型電極は、複数の電気的に分離可能なセグメントを含み、前記複数の電気的に分離可能なセグメントを選択的に有効にすることによって、分割型電極の有効なアクティブ領域が制御可能になり、前記分割型電極における前記有効にされたセグメントに対して電圧が印加されるときに流れる電流が、前記有効なアクティブ領域によって決まるようになっている、前記流体を通過させるステップと、
前記入口で流体の導電率を測定するステップと、
前記流体の温度を第１の所望の量だけ上げるために、前記第１の加熱セクションによって前記流体に供給されるべき必要な電圧と電流を、測定される流体の導電率から求めるステップと、
前記第１の加熱セクションの動作の結果として生じる変化した流体の導電率を測定するステップと、
前記流体の温度を第２の所望の量だけ上げるために、前記第２の加熱セクションによって前記流体に供給されるべき必要な電圧と電流を、前記変化した流体導電率から求めるステップと、
前記分割型電極によって所望の電流と電圧が供給されるように前記分割型電極のセグメントを有効にするステップと、を含む方法。
【請求項２】
流体の導電率の変化に対する対応は、流入する流体の導電率の測定値に応じて実質的に絶えず行われる、請求項１に記載の方法。
【請求項３】
流体の導電率が、１つ又は複数の加熱セクションの１つ又は複数の電極の両端に電圧を印加すると流れる電流を参照することによって、求められる、請求項１または２に記載の方法。
【請求項４】
前記測定された導電率の値を使用して、システムが動作する前に、先ず電極セグメントの確定した相応の組合せを選択し、流体導電率の変化によってピーク電流が定格値を超過するのを防止することを更に含む、請求項１から３のいずれか１項に記載の方法。
【請求項５】
前記測定された流体の導電率が、許容可能な流体導電率の所定の範囲外の場合、前記電極を無効にすることを更に含む、請求項１から４のいずれか１項に記載の方法。
【請求項６】
流体の流量を測定し、様々な流量の下で、適切な電流、電圧、及び電極セグメントの有効化の決定を支援することを更に含む、請求項１から５のいずれか１項に記載の方法。
【請求項７】
前記出口で流体温度を測定し、流体加熱のフィードバック制御を可能とすることを更に含む、請求項１から６のいずれか１項に記載の方法。 
【請求項８】
前記第１および第２の加熱セクションの間で前記流体の温度を測定し、前記測定された温度とそれぞれの加熱セクションにおける所望の流体温度上昇とに従って前記第１および第２の加熱セクションに対する電力を制御することを更に含む、請求項１から７のいずれか１項に記載の方法。
【請求項９】
前記流体の流路が３つ以上の加熱セクションを含み、各セクションは入口と出口を有し、前記セクションは直列に接続され、前記方法が、先ず前記測定された流入する水の導電率に従って電極セグメントを選択し、そして、各セクションの測定された入口及び出口温度と各セクションに対する所定の所望の温度差とに従って各セクションの電極対に対する電力を制御する制御手段を更に含む、請求項１から８のいずれか１項に記載の方法。
【請求項１０】
流体を加熱する装置であって、本装置は、
入口から出口への流体の流路と、
第１の加熱セクションを通過する前記流体が続いて第２の加熱セクションを通過するように前記流路に沿って配置された少なくとも前記第１および前記第２の加熱セクションであって、
各加熱セクションは少なくとも１対の電極を含み、前記１対の電極間では電流が前記流体を介して流され、前記流体が前記流路に沿って通過している間に前記流体を抵抗加熱し、そして、前記加熱セクションのうちの少なくとも１つが少なくとも１つの分割型電極を含み、
前記分割型電極は、複数の電気的に分離可能なセグメントを含み、前記複数の電気的に分離可能なセグメントを選択的に有効にすることによって、分割型電極の有効なアクティブ領域が制御可能になり、分割型電極における前記有効にされたセグメントに対して電圧が印加されるときに流れる電流が、前記有効なアクティブ領域によって決まるようになっている、前記少なくとも第１および第２の加熱セクションと、
入口で流体の導電率を測定するための導電率センサーと、
前記流体の温度を第１の所望の量だけ上げるために、前記第１の加熱セクションによって前記流体に供給されるべき必要な電圧と電流を、測定される流体導電率から求め、前記第１の加熱セクションの動作の結果として生じる変化した流体導電率を測定し、
前記流体の温度を第２の所望の量だけ上げるために、前記第２の加熱セクションによって前記流体に供給されるべき必要な電圧と電流を、前記変化した流体導電率から求め、そして、
前記分割型電極によって所望の電流と電圧が供給されるように前記分割型電極のセグメントを有効にするコントローラと、を含む装置。
【請求項１１】
各加熱セクションが分割型電極を含む、請求項１０に記載の装置。
【請求項１２】
各分割型電極が様々なサイズのセグメントに分けられ、所望の有効面積の選択の正確度が向上するようにセグメントの組合せを選択することができる、請求項１０または１１に記載の装置。
【請求項１３】
前記分割型電極が、１：２：...：２(n-1)の比率で相対有効面積を有するn個のセグメントに分けられる、請求項１２に記載の装置。
【請求項１４】
前記分割型電極の各電極セグメントは流体の流れの方向にほぼ垂直に延在し、ほぼ流体の流路全体に亘る流体が抵抗加熱される、請求項１１から１３のいずれか１項に記載の装置。
【請求項１５】
流体の流量を測定し、様々な流量の下で適切な電流、電圧、及び電極セグメントの有効化の決定を支援する流量測定手段を更に含む、請求項１０から１４のいずれか１項に記載の装置。
【請求項１６】
前記出口で流体の温度を測定し、流体加熱のフィードバック制御を可能とする出口流体温度測定手段を更に含む、請求項１０から１５のいずれか１項に記載の装置。
【請求項１７】
前記第１および第２加熱セクションの間で前記流体の温度を測定し、前記測定された温度とそれぞれの加熱セクションの所望の流体温度上昇とに従って、前記第１および第１の加熱セクションに対する電力を制御する流体温度測定手段を更に含む、請求項１０から１６のいずれか１項に記載の装置。
【請求項１８】
前記流体の流路が、３つ以上の加熱セクションを含み、各セクションは入口と出口を有し、前記セクションが直列に接続されている、請求項１０から１７のいずれか１項に記載の装置。
【手続補正書】
【提出日】平成24年2月1日(2012.2.1)
【手続補正１】
【補正対象書類名】明細書
【補正対象項目名】００３３
【補正方法】変更
【補正の内容】
【００３３】
図１０は、本発明のさらに別の局面に従い構成された多層ガスケット９１０を示す。類似のものは９００番台が付けられて同様の参照番号で示される。ガスケット９１０は３つの機能層９１２、９１２′および９１４と、距離層９１６とを有する。機能層９１２および９１４は、機能層１２および１４について上記と同じ構成および配置を本質的に有する。したがって、機能層９１２および９１４は距離層９１６の対向する側９１８および９２０に当接するよう配置され、距離層９１６は機能層９１２および９１４との間で挟持される。機能層９１２′は機能層９１２に重なり、当接する。機能層９１２、９１２′および９１４の各々は、距離層９１６の開口９２４と位置合わせされるよう寸法決めされている開口９２２を有し、それぞれの開口はシリンダ孔９２６と位置合わせされるよう、互いに対して配置される。機能層９１２および９１４の各々は、層９１２および９１４の面９３０から外方向に延在するフル押圧封止ビード９２８を有し、シリンダ孔９２６に対する気体気密封止の確立を容易にする。機能層９１２’はフル押圧ビード９２８′を有し、これは他の機能ビード９２８と同様に寸法決めされ、機能層９１２の機能ビード９２８と対向して配置されるよう構成されている。
【手続補正２】
【補正対象書類名】明細書
【補正対象項目名】００３５
【補正方法】変更
【補正の内容】
【００３５】
組立てられると、当接する機能層９２８および９２８′はそれぞれのフルビード９２８および９２８′が互いに鏡映の関係に並ぶよう配置されており、それぞれの頂９４２および９４２′は互いに反対方向に向かう。ガスケット９１０は、第２の部分９５０に当接するよう配置されている、反対方向に向かうフルビードを有する２つの当接機能層９１２および９１２と、第２の部分９５０の反対側に当接するよう配置されているフルビードを有する第３の機能層９１４とを有することにより、使用の際にシリンダヘッドとエンジンブロックとの間で形成されるより大きい動的ギャップは、シリンダ孔９２６からの気体の漏れに対して封止可能である。